(57)【要約】【課題】本発明は、部品型振り子宝飾装置、部品型振り子宝飾装置用部材セット及びその組み立て方法を提供する。【解決手段】前記装置は、宝石類を取り付けるための副部品と、前記副部品を収容する空間を有する本体とを備えている。前記本体には、相対する２つの接続孔が設けられ、前記副部品には、前記接続孔に適合する２つの接続軸が取り付けられている。前記接続孔は、吊り環部品から形成され、前記吊り環部品は、接続孔を形成する環状孔部及び前記環状孔部と接続された取付柱部を有し、前記取付柱部は、前記本体上の対応する取付孔に挿入するために用いられる。本発明に係る部品型振り子宝飾装置、部品型振り子宝飾装置用部材セット及びその組み立て方法によれば、振り子宝飾装置において副部品を本体の環状孔部に配置し、吊り環部品に設けられた取付柱部と本体における取付孔とを合わせることにより、取付難度及び工程要件が軽減され、加工及び取付が容易になる。【選択図】図１
2018196714.tif 000002
【特許請求の範囲】
【請求項１】
宝石類を取り付けるための副部品と、前記副部品を収容する空間を有する本体とを備え、前記本体には、２つの接続孔が設けられ、前記副部品には、前記接続孔に適合する２つの接続軸が取り付けられ、前記接続孔は、吊り環部品から形成され、前記吊り環部品は、接続孔を形成する環状孔部及び前記環状孔部と接続された取付柱部を有し、前記取付柱部は、前記本体上の対応する取付孔に挿入するために用いられることを特徴とする部品型振り子宝飾装置。
【請求項２】
前記接続軸は、前記接続孔の内壁に接触する刃形エッジを有することを特徴とする請求項１に記載の部品型振り子宝飾装置。
【請求項３】
前記本体の中心は、前記副部品の宝石類を表示するために、少なくとも１つの側面が中空構造であることを特徴とする請求項１又は２に記載の部品型振り子宝飾装置。
【請求項４】
前記取付柱部は、溶接によって前記取付孔と接続されていることを特徴とする請求項１〜３のいずれか１項に記載の部品型振り子宝飾装置。
【請求項５】
前記取付柱部として、前記本体の内側壁に垂直な配置方式を採用していることを特徴とする請求項１〜４のいずれか１項に記載の部品型振り子宝飾装置。
【請求項６】
前記副部品の両側に、宝石類が象嵌されていることを特徴とする請求項１〜５のいずれか１項に記載の部品型振り子宝飾装置。
【請求項７】
請求項１〜６のいずれか１項に記載の部品型振り子宝飾装置のうち、前記副部品と、２つの前記吊り環部品とを備えていることを特徴とする部品型振り子宝飾装置用部材セット。
【請求項８】
前記副部品に宝石類を嵌め込み、前記接続軸を前記吊り環部品の前記環状孔部内に挿入するステップと、
前記吊り環部品の前記取付柱部と前記本体上の対応する取付孔とを接続固定させるステップとを含むことを特徴とする請求項７に記載の部品型振り子宝飾装置用部材セットの組み立て方法。
【発明の詳細な説明】
【技術分野】
【０００１】
本発明は、宝飾装置、部品型振り子宝飾装置用部材セット及びその組み立て方法に関し、特に部品型振り子宝飾装置、部品型振り子宝飾装置用部材セット及びその組み立て方法の改良に関する。
【背景技術】
【０００２】
従来技術の宝石宝飾装置、特に振り子宝飾装置におけるダイヤモンド象嵌宝飾は通常、ダイヤモンドを含む副部品が本体に取り付けられている。しかし、既存の取付方法は通常、宝飾装置全体に対して組立加工作業を行い、接続孔及び副部品を形成するため、取付が不便であり、特に加工技術が優れない手作業工房では、振り子宝飾装置のコア部品を十分に使用且つ実現することができない。従って、従来技術は、進歩し且つ改善される必要がある。
【発明の概要】
【発明が解決しようとする課題】
【０００３】
本発明の目的は、部品型振り子宝飾装置、部品型振り子宝飾装置用部材セット及びその組み立て方法を提供することにある。従来技術における上記の技術的欠陥に鑑み、取付が便利な振り子宝飾装置を提供し、且つ通常の手作業工程にコア部品を提供することができ、これにより、取付技術に対する要件が緩和される。
【課題を解決するための手段】
【０００４】
本発明の技術的解決手段は、以下の通りである。
宝石類を取り付けるための副部品と、前記副部品を収容する空間を有する本体とを備える部品型振り子宝飾装置であって、前記本体には、相対する２つの接続孔が設けられ、前記副部品には、前記接続孔に適合する２つの接続軸が取り付けられている。前記接続孔は、吊り環部品から形成され、前記吊り環部品は、接続孔を形成する環状孔部及び前記環状孔部と接続された取付柱部を有し、前記取付柱部は、前記本体上の対応する取付孔に挿入するために用いられる。
【０００５】
前記部品型振り子宝飾装置の前記接続軸は、前記接続孔の内壁に接触する刃形エッジを有する。
【０００６】
前記部品型振り子宝飾装置の前記本体の中心は、前記副部品の宝石類を表示するために、少なくとも１つの側面が中空構造となるように設けられている。
【０００７】
前記部品型振り子宝飾装置の前記取付柱部は、溶接によって前記取付孔と接続されている。
【０００８】
前記部品型振り子宝飾装置の前記取付柱部として、前記本体の内側壁に垂直な配置方式を採用している。
【０００９】
前記部品型振り子宝飾装置の前記副部品の両側に、宝石類が象嵌されている。
【００１０】
前記部品型振り子宝飾装置用部材セットは、宝石類が象嵌されていない副部品及び２つの対応する前記吊り環部品を備えている。
【００１１】
前記部品型振り子宝飾装置用部材セットの組み立て方法は、
前記副部品に宝石類を嵌め込み、前記接続軸を前記吊り環部品の前記環状孔部内に挿入するステップＡと、
前記吊り環部品の前記取付柱部と前記本体上の対応する取付孔とを接続固定させるステップＢとを含む。
【発明の効果】
【００１２】
本発明に係る部品型振り子宝飾装置、部品型振り子宝飾装置用部材セット及びその組み立て方法によれば、振り子宝飾装置において副部品を本体の環状孔部に配置し、吊り環部品に設けられた取付柱部と本体における取付孔とが嵌合することにより、取付難度及び工程要件が軽減され、加工及び取付が容易になる。
【図面の簡単な説明】
【００１３】
【図１】本発明に係る部品型振り子宝飾装置の好ましい実施形態の正面概略図である。
【図２】本発明に係る部品型振り子宝飾装置の好ましい実施形態の側面概略図である。
【図３ａ】本発明に係る部品型振り子宝飾装置の斜視概略図である。
【図３ｂ】本発明に係る部品型振り子宝飾装置における本体の斜視概略図である。
【図４】本発明に係る部品型振り子宝飾装置の背面概略図である。
【図５ａ】発明に係る部品型振り子宝飾装置用部材セットの第１好ましい実施形態の組合せの概略図である。
【図５ｂ】本発明に係る部品型振り子宝飾装置用部材セットの第１好ましい実施形態の分離した概略図である。
【図６ａ】発明に係る部品型振り子宝飾装置用部材セットの第２好ましい実施形態の組合せの概略図である。
【図６ｂ】発明に係る部品型振り子宝飾装置用部材セットの第２好ましい実施形態の組合せの異なる角度の概略図である。
【図６ｃ】発明に係る部品型振り子宝飾装置用部材セットの第２好ましい実施形態の分離した概略図である。
【図６ｄ】発明に係る部品型振り子宝飾装置用部材セットの第２好ましい実施形態の異なる角度の分離した概略図である。
【図７ａ】本発明に係る部品型振り子宝飾装置用部材セットの第３好ましい実施形態の組合せの概略図である。
【図７ｂ】本発明に係る部品型振り子宝飾装置用部材セットの第３好ましい実施形態の分離した概略図である。
【図７ｃ】本発明に係る部品型振り子宝飾装置用部材セットの第３好ましい実施形態の分離した概略図である。
【図８ａ】本発明に係る部品型振り子宝飾装置用部材セットの第４好ましい実施形態の組合せの概略図である。
【図８ｂ】本発明に係る部品型振り子宝飾装置用部材セットの第４好ましい実施形態の分離した概略図である。
【図９】本発明に係る部品型振り子宝飾装置用部材セットの組み立て方法のフロー概略図である。
【発明を実施するための形態】
【００１４】
以下、本発明の好ましい実施例について詳細に説明する。
【００１５】
本発明に係る部品型振り子宝飾装置及びその組み立て方法の好ましい実施形態において、部品型振り子宝飾装置は、まず、通常ダイヤモンド象嵌された宝飾に使用されている振り子宝飾装置である。もちろん、ダイヤモンド象嵌に限定されず、例えば、サファイヤやルビー等他の宝石類の宝飾装置に使用されてもよい。本発明に係る宝飾装置の好ましい実施形態は、主に図１〜図４に示されているペンダントであるが、これに限定されず、指輪やイヤリング等の宝飾装置に使用されてもよい。
【００１６】
図１〜図４に示すように、本発明に係る部品型振り子宝飾装置は、副部品１２０を収容する本体としての本体１１０を備えている。図３ａに示すように、宝飾装置における本体１１０は、中空構造として一定の収容空間１３０を形成して、副部品１２０を収容している。副部品１２０には、例えばダイヤモンドのような宝石類を嵌め込むための面が設けられ、少なくとも１粒のダイヤモンド１２１を嵌め込むことができる。１粒ダイヤモンドモザイクを設定することが好ましいが、これに限定されない。例えば、図６ａ〜図６ｄに示されているグローリーセッティング（ｇｌｏｒｙ  ｓｅｔｔｉｎｇ）、図５ａ及び図５ｂに示されているロータスカラット（ｌｏｔｕｓ  ｃａｒａｔ）、図７ａ〜図７ｃに示されている６アラウンド１モザイク、又は図８ａ及び図８ｂに示されているローズモザイク口等がある。上記のように複数のダイヤモンドが１粒のダイヤモンドを囲む象嵌の実現方式では、図示の数量に限定されず、６アラウンド１、８アラウンド１、又は１０アラウンド１モザイクであってもよい。
【００１７】
本発明に係る副部品１２０は、中空構造１３０内で振り子式に揺れ動くことができる。実際の構造として、本体１１０には、副部品１２０を取り付けるための２つの接続孔１１１が設けられている。具体的には、２つの吊り環部品１５１を介して形成されてよいが、これに限定されない。図３ｂ、図５ａ、図６ａ、図７ａ及び図８ａは、各実施形態を示す。本体１１０の内側の対応する位置には、取付孔１１６が設けられている。対応位置には、２つの吊り環部品１５１が取り付けられ、それぞれの吊り環部品１５１の先端は、接続孔１１１を形成する環状孔部として設計されている。当該環状孔部と接続され且つ延在するように設けられた取付柱部１５２は、取り付け且つ固定するように取付孔１１６内に挿入されてよい。例えば、吊り環部品１５１は、溶接により対応する位置に固定される。また、副部品１２０の両側には、接続孔１１１に適合する２つの接続軸１２２が設けられている。当該２つの接続軸１２２により、副部品１２０の振り子式の揺動が保証される。当該２つの接続軸１２２は、直線状に延在してもよく、一定の角度で延在するように設けられてもよい。振り子式の揺動程度の強化を考慮すれば、直線状延在が好ましい方式である。
【００１８】
本発明に係る取付柱部１５２は、断面が円柱又は四角柱の柱形であるように設けられてよい。特に四角柱断面の場合は、取付孔１１６内に挿入するという適合過程がより便利であり、材料の節約とともに、材料の変形により取付孔１１６（取付孔１１６は通常、円形孔である）内に当接する。取付柱部１５２は、本体１１０の内側壁内に垂直に取り付けられている。即ち、接続孔１１１を形成することができる。当該実現方式により、取付がより簡単になり、取付技術に対する要求が低い。取付柱部及び副部品は、ＣＮＣ数値制御工作機械を介して加工することができ、ダイヤモンドの取付技術要件が緩和される。
【００１９】
好ましくは、接続軸１２２は、接続孔１１１の内側壁に接触する際に、接触全体の抵抗力がより小さく、振り子式の揺動がより容易になることを保障するために、下方に位置する刃形エッジ１２３を有する。また、副部品１２０を取り付ける際に、通常その体積及び重心分布の状況を考慮する必要があるため、副部品の重心が接続軸１２２の直下にあるように配置し、且つ副部品の宝石類象嵌の表示面と重心が位置する垂直方向とが一定の角度を有するように保持する。これにより、宝石類の所定の角度（通常、５度〜１５度）での表示が容易になる。
【００２０】
宝石類の表示を容易にし、表示中の本体の反転を防止するために、副部品の両側に宝石類（両側の宝石が互いに異なる宝石であってもよい）象嵌を設けてもよい。これにより、本体１１０が反転した際に、もう片側にも宝石が表示される。もちろん、このような状況の下で、副部品１２０が両側から見えるように、本体１１０の中空構造は完全に貫通する必要がある。
【００２１】
本発明に係る部品型振り子宝飾装置のコア発明は、部品型振り子宝飾装置用部材セットタイプの製品を提供することにある。現在、中国国内の振り子宝飾装置の加工工程が複雑であるが、ジュエリー産業が終始伝統的な技術であるため、多くの従業者は技術革新を急ぐ必要がある。しかしながら、革新が困難であり、その理由として、ほとんどの従業者は、伝統的な工芸を頑なに守り、例えば、ＣＮＣ数値制御工作機械のような現代的な工芸技術を吸収して利用することが困難であるからである。本発明に係る振り子宝飾装置の付属製品において、振り子宝飾装置のコア部品、加工が最も困難でもある部品を象嵌処理の一般従業者に提供することにより、通常の象嵌技術の難度が大幅に軽減される。
【００２２】
本発明に係る部品型振り子宝飾装置用部材セットは、副部品１２０の基本構造（即ち、宝石類が象嵌されていない状態）及び２つの吊り環部品１５１を備えている。部品及び部品型振り子宝飾装置用部材セットとして販売することにより、他の同業者による象嵌処理が容易になる。使用の際に、本体に２つの取付孔の位置を確定して、取付孔形成工程を行い、次に、吊り環部品１５１を当該取付孔に取り付ければよい。これにより、振り子宝飾の加工難度が大幅に軽減される。副部品１２０及び吊り環部品１５１について、ＣＮＣ数値制御工作機械を介して大量に加工することができ、工業的加工の効率が極めて高い。
【００２３】
本発明に係る副部品１２０の基本構造は、異なるダイヤモンド象嵌の方式によって、様々な種類がある。図５ａ及び図５ｂは、ロータスカラット構造を示す。副部品１２０には、８アラウンド１の構造が設けられ、周囲のダイヤモンドは、周囲の立て爪２０１によって押し付けられ、更に中央のダイヤモンドを内部へ押圧する（周囲のダイヤモンドが立て爪に頼って中央のダイヤモンドを押圧することにより固定）。図６ａ〜図６ｄは、グローリーセッティング構造を示す。副部品１２０には、１粒ダイヤモンド１２１に対する象嵌構造が設けられ、さらに、１粒ダイヤモンドの寸法効果を拡大することができる周囲菱形３０２が設けられている。図７ａ〜図７ｃは、従来の６アラウンド１の象嵌構造であり、各ダイヤモンドは、立て爪によって固定される必要があり、組み合わせることでより大きな輝き効果が実現される。図８ａ及び図８ｂは、ローズモザイク口構造を示す。中央のダイヤモンドは、象嵌処理で固定された後、周囲のダイヤモンドを押圧し、中央のダイヤモンドと周囲のダイヤモンドとの切断面の角度を調整することにより、１粒ダイヤモンドの光沢効果が実現される。
【００２４】
本発明に係る付属製品において、対応するダイヤモンド等の宝石類を副部品１２０に先に取り付けて、次に、吊り環部品１５１と共に販売してもよい。このように副部品１２０の様々な組み立て方法で実現した後、他の象嵌処理サービス業に提供することにより、異なるレベルの製品が形成されて市場に流通され、加工能力の異なるメーカーに使用されることができる。
【００２５】
本発明は、部品型振り子宝飾装置用部材セットの組み立て方法をさらに提供する。図９に示すように、当該方法は、
前記副部品に宝石類を嵌め込み、前記接続軸を前記吊り環部品の前記環状孔部内に挿入するステップＡと、
前記吊り環部品の前記取付柱部と前記本体上の対応する取付孔とを接続固定させるステップＢとを含む。
【００２６】
本発明の方法によれば、通常の職人が振り子宝飾装置のコア部品を直接に購入した後、自身で任意に設計した本体に取り付けることにより、振り子宝飾装置の適用範囲が拡大され、  宝飾装置に対するデザインの幅が広がる。特に、これまでの宝飾装置は静的設計方式であるのに対し、本発明は、動的設計概念を設計者に提供することができる。通常の職人は、本体で対応する取付孔さえ加工すれば、本発明に係る振り子宝飾装置用部材セットを本体に取り付けることができ、これにより、加工の技術要件が緩和される。
【００２７】
当業者は、上記の説明に基づいて改良又は置換することができる。これらの改良又は置換のすべてが本発明に係る特許請求の範囲に属すことは理解されたい。
【図１】
2018196714.tif 000003
【図２】
2018196714.tif 000004
【図３ａ】
2018196714.tif 000005
【図３ｂ】
2018196714.tif 000006
【図４】
2018196714.tif 000007
【図５ａ】
2018196714.tif 000008
【図５ｂ】
2018196714.tif 000009
【図６ａ】
2018196714.tif 000010
【図６ｂ】
2018196714.tif 000011
【図６ｃ】
2018196714.tif 000012
【図６ｄ】
2018196714.tif 000013
【図７ａ】
2018196714.tif 000014
【図７ｂ】
2018196714.tif 000015
【図７ｃ】
2018196714.tif 000016
【図８ａ】
2018196714.tif 000017
【図８ｂ】
2018196714.tif 000018
【図９】
2018196714.tif 000019